(57)【要約】      （修正有）【課題】検査のための機器の停止が不要となり、交換やメンテナンスが便利になり、作業の効率が効果的に確保される自動車塗装の有機排気ガス濾過用ゼオライトロータを提供する。【解決手段】ベース１と、ベースに取り付けられたスタンド２と、回転軸３を介してスタンドに回転可能に取り付けられた回転盤４と、扇状濾過モジュール５と、ベースに取り付けられた駆動モータ１８とを備える。回転軸の端部には、従動ベベルギア２２が配置され、駆動モータの出力軸には、従動ベベルギアと噛み合った駆動ベベルギア２１が配置されている。回転盤の円周上には、複数の扇状スロットが回転軸を中心に円周方向に分布している。扇状濾過モジュールは、各扇状スロットに挿入され、回転盤の円盤面には、扇状換気窓が各扇状スロットに対応するように設けられている。回転盤の円周上に扇状濾過モジュールが挿入されることにより、ゼオライトロータの低い回転速度の下で扇状濾過モジュールを迅速に交換することができる。【選択図】図１
0003221854.tif 000002
【実用新案登録請求の範囲】
【請求項１】
ベース（１）と、前記ベース（１）に取り付けられたスタンド（２）と、回転軸（３）を介して前記スタンド（２）に回転可能に取り付けられた回転盤（４）と、扇状濾過モジュール（５）と、前記ベース（１）に取り付けられた駆動モータ（１８）とを備え、前記回転軸（３）の端部には、従動ベベルギア（２２）が配置され、前記駆動モータ（１８）の出力軸（２０）には、前記従動ベベルギア（２２）と噛み合った駆動ベベルギア（２１）が配置され、前記回転盤（４）の円周上には、複数の扇状スロット（１３）が回転軸（３）を中心に円周方向に分布し、前記扇状濾過モジュール（５）は、各前記扇状スロット（１３）に挿入され、前記回転盤（４）の円盤面には、扇状換気窓（１６）が各前記扇状スロット（１３）に対応するように設けられていることを特徴とする自動車塗装の有機排気ガス濾過用ゼオライトロータ。
【請求項２】
前記複数の扇状濾過モジュール（５）は、前記回転盤（４）上に円周方向に分布して濾過円盤を形成しており、前記回転盤（４）には、少なくとも２層の濾過円盤が設けられていることを特徴とする請求項１に記載の自動車塗装の有機排気ガス濾過用ゼオライトロータ。
【請求項３】
同一の前記濾過円盤における、隣接する２つの扇状スロット（１３）の間には、端部が回転軸（３）上に固定されたサイドポスト（１５）が形成されていることを特徴とする請求項２に記載の自動車塗装の有機排気ガス濾過用ゼオライトロータ。
【請求項４】
前記扇状スロット（１３）の挿入口の内側には、スライド溝（９）が前記回転盤（４）の円周辺に沿うように設けられ、前記回転盤（４）の円周上におけるサイドポスト（１５）に位置する箇所には、内部に巻回体が配置されたカバー（７）が配置され、前記巻回体は、矩形密封フィルム（１４）が巻回されたものであり、前記巻回体の端部には、前記巻回体の回転を駆動するためのコイルバネが配置され、前記矩形密封フィルム（１４）の巻出し端の幅方向における縁部には、前記扇状スロット（１３）の挿入口の両側におけるスライド溝（９）内にそれぞれ嵌め込まれた２つの磁気スライダ（１０）が配置され、前記磁気スライダ（１０）には、前記スライド溝（９）の外側に位置するようにガイドストリップ（１１）が配置され、前記扇状濾過モジュール（５）の両側の扇面における、前記サイドポスト（１５）に隣接する縁部箇所には、径方向溝（１２）が設けられており、前記ガイドストリップ（１１）が前記径方向溝（１２）に沿ってスライド可能に嵌め込まれていることを特徴とする請求項３に記載の自動車塗装の有機排気ガス濾過用ゼオライトロータ。
【請求項５】
前記矩形密封フィルム（１４）内には、軸方向が回転軸（３）の軸方向に平行となっている補強リブが間に挟まれるように配置されていることを特徴とする請求項４に記載の自動車塗装の有機排気ガス濾過用ゼオライトロータ。
【請求項６】
前記ガイドストリップ（１１）の側面は、前記磁気スライダ（１０）に回転可能に取り付けられていることを特徴とする請求項４に記載の自動車塗装の有機排気ガス濾過用ゼオライトロータ。
【請求項７】
前記回転盤（４）の円周上の、カバー（７）に近接する箇所には、前記サイドポスト（１５）と協働してガイドストリップ（１１）を係止するための位置決めブロック（８）が設けられていることを特徴とする請求項４に記載の自動車塗装の有機排気ガス濾過用ゼオライトロータ。
【請求項８】
前記回転盤（４）上及び前記回転盤（４）内に位置する箇所には、前記扇状濾過モジュール（５）の挿入端部を吸着する環状磁石（１７）が配置されていることを特徴とする請求項１に記載の自動車塗装の有機排気ガス濾過用ゼオライトロータ。
【請求項９】
前記扇状濾過モジュール（５）の円弧形面には、ハンドル（６）が配置されていることを特徴とする請求項１に記載の自動車塗装の有機排気ガス濾過用ゼオライトロータ。
【請求項１０】
前記スタンド（２）の側面には、安定板（１９）が配置され、前記駆動モータ（１８）の出力軸（２０）は、ベアリングを介して前記安定板（１９）に回転可能に取り付けられていることを特徴とする請求項１に記載の自動車塗装の有機排気ガス濾過用ゼオライトロータ。
【考案の詳細な説明】
【技術分野】
【０００１】
本考案は、ゼオライトロータに関し、特に自動車塗装の有機排気ガス濾過用ゼオライトロータに関する。
【背景技術】
【０００２】
現在、塗装業界において、大量の有機排気ガスが存在するため、各塗装工場にゼオライトロータを含む空気濾過システムを配置する必要がある。従って、ゼオライトロータの使用は最優先と言えるであろう。ゼオライトロータは、良好な濾過効果を確保するために、長期間使用の場合には定期メンテナンスが必要であるため、運転をしばしば停止させなければならない。生産停止になると、作業期間に影響を受ける。また、ゼオライトロータの回転速度が遅いため、使用中にメンテナンスの可能性がある。
【考案の概要】
【考案が解決しようとする課題】
【０００３】
本考案が解決しようとする技術的課題は、定期メンテナンスの際に従来のゼオライトロータが運転停止しなければならないことにより、生産停止がもたらされ、作業期間に影響を受けるという問題である。
【課題を解決するための手段】
【０００４】
上記の技術的問題を解決すべく、本考案は、ベースと、前記ベースに取り付けられたスタンドと、回転軸を介して前記スタンドに回転可能に取り付けられた回転盤と、扇状濾過モジュールと、前記ベースに取り付けられた駆動モータとを備えた自動車塗装の有機排気ガス濾過用ゼオライトロータを提供する。前記回転軸の端部には、従動ベベルギアが配置されている。前記駆動モータの出力軸には、前記従動ベベルギアと噛み合った駆動ベベルギアが配置されている。前記回転盤の円周上には、複数の扇状スロットが回転軸を中心に円周方向に分布している。前記扇状濾過モジュールは、各前記扇状スロットに挿入されている。前記回転盤の円盤面には、扇状換気窓が各前記扇状スロットに対応するように設けられている。
【０００５】
回転盤の円周上に扇状濾過モジュールが挿入されることにより、ゼオライトロータの低い回転速度の下で扇状濾過モジュールを迅速に交換することができ、これにより、検査のための機器の停止が不要となり、各モジュールの交換やメンテナンスが便利になり、作業の効率が効果的に確保される。扇状換気窓の採用により、気流が扇状濾過モジュールへ直接吹くことが容易に実現される。
【０００６】
本考案のさらなる限定的解決手段として、前記複数の扇状濾過モジュールは、前記回転盤上に円周方向に分布して濾過円盤を形成しており、前記回転盤には、少なくとも２層の濾過円盤が設けられている。少なくとも２つの層の濾過円盤が採用され、１つの層における、ある１つの扇状濾過モジュールがメンテナンスされている場合であっても通常通りに使用することができ、ブランク期間が発生せず、フィルタの信頼性が確保される。円周上での分布により、既存の回転盤に対応するようになり、既存の回転盤全体の交換に直接使用することができ、適合性が良好である。
【０００７】
本考案のさらなる限定的解決手段として、同一の前記濾過円盤における、隣接する２つの扇状スロットの間には、端部が前記回転軸上に固定されたサイドポストが形成されている。サイドポストは、使用時の構造強度を確保するために、扇状濾過モジュールの挿着サポート、及び、回転盤の全体的な骨格の両方に用いられる。
【０００８】
本考案のさらなる限定的解決手段として、前記扇状スロットの挿入口の内側には、スライド溝が前記回転盤の円周辺に沿うように設けられている。前記回転盤の円周上におけるサイドポストに位置する箇所には、内部に巻回体が配置されたカバーが配置されている。前記巻回体は、矩形密封フィルムが巻回されたものであり、前記巻回体の端部には、前記巻回体の回転を駆動するためのコイルバネが配置されている。前記矩形密封フィルムの巻出し端の幅方向における縁部には、前記扇状スロットの挿入口の両側におけるスライド溝内にそれぞれ嵌め込まれた２つの磁気スライダが配置されている。前記磁気スライダには、前記スライド溝の外側に位置するようにガイドストリップが配置されている。前記扇状濾過モジュールの両側の扇面における、前記サイドポストに隣接する縁部箇所には、ガイドストリップがスライド可能に嵌め込まれた径方向溝が設けられている。巻回体に巻回された矩形密封フィルムを採用することにより、扇状濾過モジュールが引き抜かれた後に扇状スロットの挿入口を封鎖することができ、側面からの排気ガスの漏れが防止される。ガイドストリップの採用により、扇状濾過モジュールの挿抜時に、磁気スライダがスライド溝に沿って往復移動するように駆動され、また、扇状濾過モジュールが完全に引き抜かれると、両側の磁気スライダが比較的接近しているため、磁気作用の下で引き寄せられ、それによって完全な密封が実現される。中間位置における挿抜の場合には、ガイドストリップの作用により、矩形密封フィルムの巻出し端の幅方向における縁部が終始扇状濾過モジュールの側面に密接しているため、依然として密封することができる。従って、挿抜後にも挿抜中にも関わらず、気体の密封が実現され、排気ガスの漏れが防止される。また、扇状濾過モジュールが挿入されるときに、扇状濾過モジュールが中央に向かって押圧される過程において、磁気スライダがガイドストリップによって強制的に駆動されて、磁気吸引力に抗して分離し、これにより、使い勝手が良くなる。
【０００９】
本考案のさらなる限定的解決手段として、前記矩形密封フィルム内には、軸方向が回転軸の軸方向に平行となっている補強リブが間に挟まれるように配置されている。補強リブが採用されることにより、矩形密封フィルムは、一定の構造強度を有する。矩形密封フィルムの長さ方向の縁部がスライド溝内に嵌め込まれると、排気ガスの吹飛ばしによって膨らむことなく、密封効果が確保される。
【００１０】
本考案のさらなる限定的解決手段として、前記ガイドストリップの側面は、前記磁気スライダに回転可能に取り付けられている。ガイドストリップの回転可能な取付により、扇状濾過モジュールの挿抜の際に、角度の変化が可能であるため、ガイドストリップの折損が防止される。
【００１１】
本考案のさらなる限定的解決手段として、前記回転盤の円周上の、カバーに近接する箇所には、前記サイドポストと協働してガイドストリップを係止するための位置決めブロックが設けられている。位置決めブロックの採用により、ガイドストリップを係止し、磁気スライダのカバー内への巻込みを防止することができる。
【００１２】
本考案のさらなる限定的解決手段として、前記回転盤上及び前記回転盤内には、前記扇状濾過モジュールの挿入端部を吸着する環状磁石が配置されている。環状磁石の採用により、挿入後の扇状濾過モジュールに対して吸着固定を行うことができ、引き抜きの際にも大きな力を必要とせず、容易に使用することができる。
【００１３】
本考案のさらなる限定的解決手段として、前記扇状濾過モジュールの円弧形面には、ハンドルが配置されている。ハンドルの採用により、扇状濾過モジュールの挿抜が容易になる。
【００１４】
本考案のさらなる限定的解決手段として、前記スタンドの側面には、安定板が配置されている。駆動モータの出力軸は、ベアリングを介して前記安定板に回転可能に取り付けられている。安定板の採用により、出力軸の安定性を確保することができる。
【考案の効果】
【００１５】
本考案は次のような効果を奏する。回転盤の円周上に扇状濾過モジュールが挿入されることにより、ゼオライトロータの低い回転速度の下で扇状濾過モジュールを迅速に交換することができ、これにより、検査のための機器の停止が不要となり、各モジュールの交換やメンテナンスが便利になり、作業の効率が効果的に確保される。扇状換気窓の採用により、気流が扇状濾過モジュールへ直接吹くことが容易に実現される。
【図面の簡単な説明】
【００１６】
【図１】本考案の側面構成概略図である。
【図２】本考案に係る回転盤上の１つの扇状スロットの切断後の構成概略図である。
【図３】本考案に係る扇状濾過モジュールの構成概略図である。
【考案を実施するための形態】
【００１７】
図１〜図３に示すように、本考案に係る自動車塗装の有機排気ガス濾過用ゼオライトロータは、ベース１、スタンド２、回転盤４、扇状濾過モジュール５及び駆動モータ１８を備えている。
【００１８】
ここで、スタンド２は、ベース１に取り付けられている。回転盤４は、回転軸３を介してスタンド２に回転可能に取り付けられている。回転軸３の端部には、従動ベベルギア２２が配置されている。駆動モータ１８は、ベース１に取り付けられ、駆動モータ１８の出力軸２０には、従動ベベルギア２２と噛み合った駆動ベベルギア２１が配置されている。回転盤４の円周上には、複数の扇状スロット１３が回転軸３を中心に円周方向に分布している。扇状濾過モジュール５は、各扇状スロット１３に挿入されている。回転盤４の円盤面には、扇状換気窓１６が各扇状スロット１３に対応するように設けられている。スタンド２の側面には、安定板１９が配置されている。駆動モータ１８の出力軸２０は、ベアリングを介し安定板１９に回転可能に取り付けられている。
【００１９】
図１及び図２に示すように、複数の扇状濾過モジュール５は、回転盤４上に円周方向に分布して濾過円盤を形成しており、回転盤４には、２層の濾過円盤が設けられている。同一の前記濾過円盤における、隣接する２つの扇状スロット１３の間には、端部が回転軸３上に固定されたサイドポスト１５が形成されている。
【００２０】
扇状スロット１３の挿入口の内側には、スライド溝９が回転盤４の円周辺に沿うように設けられている。回転盤４の円周上におけるサイドポスト１５に位置する箇所には、内部に巻回体が配置されたカバー７が配置されている。巻回体は、矩形密封フィルム１４が巻回されたものであり、巻回体の端部には、巻回体の回転を駆動するためのコイルバネが配置されている。矩形密封フィルム１４の巻出し端の幅方向における縁部には、扇状スロット１３の挿入口の両側におけるスライド溝９内にそれぞれ嵌め込まれた２つの磁気スライダ１０が配置されている。磁気スライダ１０には、スライド溝９の外側に位置するようにガイドストリップ１１が配置されている。扇状濾過モジュール５の両側の扇面における、サイドポスト１５に隣接する縁部箇所には、径方向溝１２が設けられている。ガイドストリップ１１は、径方向溝１２に沿ってスライド可能に径方向溝１２内に嵌め込まれている。矩形密封フィルム１４内には、軸方向が回転軸３の軸方向に平行となっている補強リブが間に挟まれるように配置されている。ガイドストリップ１１の側面は、磁気スライダ１０に回転可能に取り付けられている。回転盤４の円周上の、カバー７に近接する箇所には、サイドポスト１５と協働してガイドストリップ１１を係止するための位置決めブロック８が設けられている。回転盤４上及び回転盤４内には、扇状濾過モジュール５の挿入端部を吸着する環状磁石１７が配置されている。扇状濾過モジュール５の円弧形面には、ハンドル６が配置されている。
【００２１】
本考案に係る自動車塗装の有機排気ガス濾過用ゼオライトロータにおいて、扇状濾過モジュール５の挿入端部には、環状磁石１７と嵌合した内円弧形面が設けられている。扇状濾過モジュール５には、フィルタによって被覆された濾過吸着材料が配置されている。当該材料は、既存のゼオライトロータに用いられた材料と同じであるが、既存のものが扇状に切り分けられた後、回転盤４に挿入されて使用される。カバー７には、それぞれサイドポスト１５の両側における扇状スロット１３のスロット口の半分封鎖に使用される２本の巻回体が配置されている。回転盤４の回転速度が極めて遅いため、駆動モータ１８には、減速機が取り付けられている。矩形密封フィルム１４は、完全に広がったときには平面矩形となる。
【００２２】
扇状濾過モジュール５のメンテナンスのときに、扇状濾過モジュール５は、ハンドル６を介して扇状スロット１３から直接引き抜かれ、このときの矩形密封フィルム１４は、磁気スライダ１０に駆動されることによってスライド溝９に沿って中央へスライドする。磁気スライダ１０は、ガイドストリップ１１に駆動されることによって移動し、ガイドストリップ１１は、径方向溝１２に駆動されることによって移動する。従って、矩形密封フィルム１４は、扇状濾過モジュール５に連動しており、扇状濾過モジュール５が完全に引き抜かれた後、両側の磁気スライダ１０は互いに吸引して引き寄せられる。両側から中央へ寄り集まった矩形密封フィルム１４が接合されることにより、扇状スロット１３のスロット口の完全封鎖が実現され、多量な排気ガスが漏れることはない。扇状濾過モジュール５が再び挿入される際に、まず、ガイドストリップ１１が径方向溝１２内に挿入され、次に、扇状濾過モジュール５が押し動かされ、鋭角の押付により、両側の磁気スライダ１０が分離し、最終的に、扇状濾過モジュール５の内円弧形面が環状磁石１７に吸着され、矩形密封フィルム１４は、コイルバネの作用下で収縮してカバー７内に入る。ガイドストリップ１１は、位置決めブロック８の位置で停止し、扇状濾過モジュール５の外円弧形面と回転盤４の円周面とが重なり合う。
【符号の説明】
【００２３】
１  ベース
２  スタンド
３  回転軸
４  回転盤
５  扇状濾過モジュール
６  ハンドル
７  カバー
８  位置決めブロック
９  スライド溝
１０  磁気スライダ
１１  ガイドストリップ
１２  径方向溝
１３  扇状スロット
１４  矩形密封フィルム
１５  サイドポスト
１６  扇状換気窓
１７  環状磁石
１８  駆動モータ
１９  安定板
２０  出力軸
２１  駆動ベベルギア
２２  従動ベベルギア
【図１】
0003221854.tif 000003
【図２】
0003221854.tif 000004
【図３】
0003221854.tif 000005